(57)【要約】【課題】レポート作成において、計測値入力を従来に比して容易にする医用レポート作成装置及び医用レポート作成プログラムを提供すること。【解決手段】医用画像に関する複数の計測名と、前記各計測名に対応する計測値を特定するためのコードと、の対応関係を記憶する記憶ユニットと、患者情報と医用画像に関する所望の計測名とを入力するための入力ユニットと、前記入力された患者情報及び計測名と前記記憶ユニットに記憶される対応関係とに基づいて、医用画像に関する少なくとも一つの計測値を患者毎に記憶するデータベースを検索することで、前記入力された患者情報及び計測名に対応する計測値を取得し、当該取得した計測値を用いて入力支援情報を生成する支援情報生成ユニットと、前記入力支援情報を表示する表示ユニットと、前記表示された入力支援情報を用いて医用レポートを作成するレポート作成ユニットと、を具備することを特徴とする医用レポート作成装置である。【選択図】図３
2014136071.tif 000002
【特許請求の範囲】
【請求項１】
医用画像に関する複数の計測名と、前記各計測名に対応する計測値を特定するためのコードと、の対応関係を記憶する記憶ユニットと、
患者情報と医用画像に関する所望の計測名とを入力するための入力ユニットと、
前記入力された患者情報及び計測名と前記記憶ユニットに記憶される対応関係とに基づいて、医用画像に関する少なくとも一つの計測値を患者毎に記憶するデータベースを検索することで、前記入力された患者情報及び計測名に対応する計測値を取得し、当該取得した計測値を用いて入力支援情報を生成する支援情報生成ユニットと、
前記入力支援情報を表示する表示ユニットと、
前記表示された入力支援情報を用いて医用レポートを作成するレポート作成ユニットと、
を具備することを特徴とする医用レポート作成装置。
【請求項２】
前記対応関係は、医用画像に関する複数の計測名と、前記各計測名に対応する計測値の単位との対応関係をさらに定義するものであり、
前記支援情報生成ユニットは、前記対応関係に基づいて前記取得された計測値の単位をさらに取得し、当該取得した単位を用いて前記入力支援情報を生成すること、
を特徴とする請求項１記載の医用レポート作成装置。
【請求項３】
前記対応関係は、医用画像に関する複数の計測名と、前記各計測名に対応する計測値の正常範囲との対応関係をさらに定義するものであり、
前記支援情報生成ユニットは、前記対応関係に基づいて前記取得された計測値の正常範囲をさらに取得し、当該取得した正常範囲を用いて前記入力支援情報を生成すること、
を特徴とする請求項１又は２記載の医用レポート作成装置。
【請求項４】
前記対応関係は、医用画像に関する複数の計測名と、前記各計測名に対応する計測値を利用する計算式との対応関係をさらに定義するものであり、
前記支援情報生成ユニットは、前記対応関係に基づいて前記取得された計測値を利用する計算式をさらに取得し、当該取得した計算式を用いて前記入力支援情報を生成すること、
を特徴とする請求項１乃至３のうちいずれか一項記載の医用レポート作成装置。
【請求項５】
前記対応関係は、前記医用画像に関する計測名及び計測に関する時間情報と、前記各計測名に対応する計測値を特定するためのコードと、の対応関係を定義するものであり、
前記入力ユニットは、計測に関する時間情報をさらに入力するものであり、
前記支援情報生成ユニットは、前記さらに入力された計測に関する時間情報と前記対応関係とに基づいて、医用画像に関する少なくとも一つの計測値を患者毎に記憶するデータベースを検索することで、前記入力された計測に関する時間情報に対応する計測値を取得し、当該取得した計測値を用いて前記入力支援情報を生成すること、
を特徴とする請求項１乃至４のうちいずれか一項記載の医用レポート作成装置。
【請求項６】
コンピュータに、
患者情報と医用画像に関する所望の計測名とを入力させる入力機能と、
医用画像に関する複数の計測名と、前記各計測名に対応する計測値を特定するためのコードと、の対応関係と、前記入力された患者情報及び計測名とに基づいて、医用画像に関する少なくとも一つの計測値を患者毎に記憶するデータベースを検索させることで、前記入力された患者情報及び計測名に対応する計測値を取得させ、当該取得した計測値を用いて入力支援情報を生成させる支援情報生成機能と、
前記入力支援情報を表示させる表示機能と、
前記表示された入力支援情報を用いて医用レポートを作成させるレポート作成機能と、
を具備することを特徴とする医用レポート作成プログラム。
【発明の詳細な説明】
【技術分野】
【０００１】
本発明の実施形態は、医用レポート作成装置及び医用レポート作成プログラムに関する。
【背景技術】
【０００２】
近年、医療行為の専門分野は細分化されている。例えば、画像診断においては、患者の診断画像の取得、取得された診断画像の読影及び医用レポート作成、医用レポートの結果に基づく診断結果や治療方針の説明、等の各作業に分割される。各作業は、各専門家（担当の医師又は担当技師）によって担当され、これら全ての作業によって、患者に対する診断等の医療行為が達成される。各専門家は、前段の作業において他の専門家が作成した情報に基づいて、且つ適宜過去の診断情報等を参照することにより、各作業を実行する。これらの作業は、例えば、診断画像を取得するＸ線ＣＴ装置、ＭＲＩ装置等の医用画像診断装置、診断画像を記憶する医用画像保管装置、診断画像を読影するための医用画像観察装置、医用レポート作成装置等において行われる。
【０００３】
医用レポート作成ルーチンにおいて、画像情報と同様に検査レポートをネットワーク経由で送受信したり、高い検索性、了解性の高い記述を可能とするための標準化が、ＤＩＣＯＭ規格に従って行われている（ＤＩＣＯＭ構造化レポーティング：ＤＯＣＯＭ  ＳＲ（Ｓtructured Reporting））。ＤＩＣＯＭ  ＳＲは、画像から読み取れる情報を記述したテキスト、その位置や大きさの測定値、また関連する心電図などの波形データや、 過去の医用レポートなどを、ＤＩＣＯＭ規格に従って体系的に関連付け、構造的に記述することを可能とする技術である。これにより、医用レポート作成において、画像から計測値を受け取り、検査毎に計測値を管理することが可能となる。具体的には、医用レポート作成に利用する現在表示中の画像につき、計測値データをＤＩＣＯＭ  ＳＲ等の機能を利用して取得し、例えば別ウィンドウで一覧表示したり、同一患者の過去の計測値を検査毎に別ウィンドウで表示することができる。医用レポート作成者は、表示された画像及び計測値一覧等を参照しながら、計測値の内容を一括して医用レポートへ添付等することで、医用レポートを作成する。
【発明の概要】
【発明が解決しようとする課題】
【０００４】
しかしながら、従来の医用レポート作成装置では、一覧表示される計測値をレポートに一括して貼り付けることしかできない。このため、個別の計測値をのみをレポートに含めようとする場合、レポート作成者は、計測値を自分の目で見て写し取る、或いは一覧表示された計測値をまとめて貼り付けることを余儀なくされる。その結果、レポートへの記入ミスが発生したり、必要でないデータが記入される場合がある。また、レポート作成において参照する検査数（履歴も含む）が多い場合等は、ウィンドウの切り替え等があり参照が面倒になる。特に、過去データからの推移を参照する必要がある場合には、大きな作業負担となる。
【０００５】
目的は、レポート作成において、計測値入力を従来に比して容易にする医用レポート作成装置及び医用レポート作成プログラムを提供することである。
【課題を解決するための手段】
【０００６】
本実施形態に係る医用レポート作成装置は、医用画像に関する複数の計測名と、前記各計測名に対応する計測値を特定するためのコードと、の対応関係を記憶する記憶ユニットと、患者情報と医用画像に関する所望の計測名とを入力するための入力ユニットと、前記入力された患者情報及び計測名と前記記憶ユニットに記憶される対応関係とに基づいて、医用画像に関する少なくとも一つの計測値を患者毎に記憶するデータベースを検索することで、前記入力された患者情報及び計測名に対応する計測値を取得し、当該取得した計測値を用いて入力支援情報を生成する支援情報生成ユニットと、前記入力支援情報を表示する表示ユニットと、前記表示された入力支援情報を用いて医用レポートを作成するレポート作成ユニットと、を具備するものである。
【図面の簡単な説明】
【０００７】
【図１】図１は、本実施形態に係る医用レポート作成装置１が利用される医用ネットワークシステムＮの一例を示した図である。
【図２】図２は、医用レポート作成装置１の構成を説明するためのブロック図である。
【図３】図３は、医用レポート入力支援機能を利用した医用レポート作成処理の流れを示したフローチャートである。
【図４】図４は、表示ユニット１４に表示される診断画像の一例を示した図である。
【図５】図５は、当該ステップＳ４において取得する計測値管理用テーブルの一例を示した図である。
【図６】図６は、当該ステップＳ４において取得するマッピングテーブルの一例を示した図である。
【図７】図７は、「経過AoD」との文字列入力に応答して作成される計測項目AoDの経時的変化を示すグラフの一例を示した図である。
【発明を実施するための形態】
【０００８】
以下、図面を参照しながら本実施形態に係わる医用レポート作成装置について説明する。
【０００９】
図１は、本実施形態に係る医用レポート作成装置１が利用される医用ネットワークシステムＮの一例を示した図である。同図に示すように、医用ネットワークシステムＮは、医用レポート作成装置１、医用画像表示装置３、医用画像保管装置５、医用画像診断装置７を具備する。
【００１０】
医用レポート作成装置１は、レポート作成者からの入力に従って医用レポートを作成するための装置である。医用画像表示装置３は、医用画像を所定の形態で再生（表示）し観察するためのワークステーション等である。医用画像保管装置５は、医用レポート作成装置１において作成された医用レポート、ネットワークを介して取得した医用レポート、医用画像診断装置７で撮像された各所医用画像、ネットワークを介して取得した医用画像等をＤＩＣＯＭ規格に従って保存、管理する。特に、医用画像保管装置５は、後述する医用レポート入力支援機能において利用される計測値管理用テーブル、マッピングテーブル等を保管するデータベース５０を具備する。医用画像診断装置７は、Ｘ線コンピュータ断層撮像装置、磁気共鳴イメージング装置、超音波診断装置、Ｘ線診断装置、核医学診断装置等の医用画像を撮像するための装置である。なお、医用レポート作成装置１は、医用画像表示装置３と一体化することも可能である。
【００１１】
図２は、医用レポート作成装置１の構成を説明するためのブロック図である。医用レポート作成装置１は、制御ユニット１０、レポート作成ユニット１１、入力支援処理ユニット１２、入力ユニット１３、表示ユニット１４、送受信ユニット１５、記憶ユニット１６を具備する。
【００１２】
制御ユニット１０は、本医用レポート作成装置１を構成する各ユニットを動的或いは静的に制御する。特に、制御ユニット１０は、記憶ユニット１６に記憶された専用プログラムを自身のメモリ上に展開し、医用レポート作成機能、及び後述する医用レポート入力支援機能を実現するように、レポート作成ユニット１１、入力支援処理ユニット１２を制御する。
【００１３】
レポート作成ユニット１１は、制御ユニット１０からの制御指示に従って、医用レポートを作成する。
【００１４】
入力支援処理ユニット１２は、制御ユニット１０からの制御指示に従って、後述する医用レポート入力支援機能を実現する。
【００１５】
入力ユニット１３は、キーボード、マウス、所定のスイッチ等の所定の指示を入力するためのデバイスである。
【００１６】
表示ユニット１４は、医用レポート作成画面、医用レポート入力支援画面、医用レポートの作成に利用される医用画像等を所定の形態で表示する。
【００１７】
送受信ユニット１５は、ネットワークを介して、医用画像表示装置３、医用画像保管装置５、医用画像診断装置７等と所定の情報を送受信する。特に、送受信ユニット１５は、後述する医用レポート入力支援機能を実行する際に、医用画像保管装置５のデータベース５０から、計測値管理用テーブル、マッピングテーブル等を取得する。
【００１８】
記憶ユニット１６は、医用レポート作成機能、及び後述する医用レポート入力支援機能を実現するための専用プログラム（医用レポート作成プログラム）、医用レポート、医用画像、データベース５０から取得した計測値管理用テーブル、マッピングテーブル等を記憶する。
【００１９】
（医用レポート入力支援機能）
図３は、医用レポート入力支援機能を利用した医用レポート作成処理の流れを示したフローチャートである。図３等を参照しながら、本医用レポート作成装置１が有する医用レポート入力支援機能について以下説明する。
【００２０】
[医用レポート作成プログラムの起動・患者情報等の入力：ステップＳ１、Ｓ２]
レポート作成者により、入力ユニット１３を介して医用レポート作成プログラムの起動指示が入力されると、制御ユニット１０は、記憶ユニット１６に記憶された専用プログラム、入力支援プログラムを起動する（ステップＳ１）。医用レポート作成プログラム起動後、表示ユニット１４に表示される入力画面に従って、入力ユニット１３を介してレポート作成の対象となる検査・患者を特定するための情報（検査情報等）が入力される（ステップＳ２）。
【００２１】
[診断画像取得・表示、マッピングテーブルの取得：ステップＳ３、Ｓ４]
レポート作成ユニット１１は、入力された検査情報等に基づいて、当該検査情報によって特定される少なくとも一枚の診断画像を、ネットワークを介して医用画像保管装置５から取得する。取得した診断画像は、例えば図４に示すように所定の形態にて表示ユニット１４に表示される（ステップＳ３）。
【００２２】
さらに、レポート作成ユニット１１は、入力された検査情報等に基づいて、取得した診断画像に関する計測値管理用テーブル及びマッピングテーブルを、ネットワークを介して医用画像保管装置５から取得する（ステップＳ４）
図５は、当該ステップＳ４において取得する計測値管理用テーブルの一例を示した図である。同図に示すように、計測値管理用テーブルは、各診断画像に関する各種計測項目毎の計測値を、ＤＩＣＯＭ規格に従うコードを用いて患者毎或いは検査毎に管理するものである。
【００２３】
図６は、当該ステップＳ４において取得するマッピングテーブルの一例を示した図である。同図に示すように、マッピングテーブルは、各種計測項目に割り当てられた文字列「ＫＥＹ」と、各種計測項目に対応する計測値をＤＩＣＯＭ  ＳＲに従うコードとの対応関係を定義するものである。ここで、「前回ＡＯＤ」とは、「前回検査」における計測項目「ＡＯＤ」を、「経過ＡＯＤ」とは、所定期間に遡った過去の複数回に亘る「ＡＯＤ」を意味する文字列である。なお、図６のマッピングテーブルの例では、各種計測項目に割り当てられた文字列「ＫＥＹ」と、計測値毎の「単位」、各計測項目の「正常範囲」、各計測値を用いた所定の「計算式」との対応関係も定義可能としている。
【００２４】
[入力支援処理：ステップＳ５]
入力ユニット１３を介して表示された診断画像に基づく所見が入力されると、入力支援処理ユニット１２は、入力支援処理を実行する（ステップＳ５）。
【００２５】
図６は、ステップＳ５における入力支援処理を説明するための図である。例えば、入力ユニット１３から「AoD」との文字列が入力されると、入力支援処理ユニット１２は、計測値管理テーブル及びマッピングテーブルに基づいて、入力された「AoD」との文字列を「１０（１０−２０：ｍｍ）」と変換する。また、例えば入力ユニット１３から「LAD」との文字列が入力されると、入力支援処理ユニット１２は、計測値管理テーブル及びマッピングテーブルに基づいて、入力された「LAD」との文字列を「２０ｍｍ（正常値オーバー）」と変換する。
【００２６】
さらに、例えば入力ユニット１３から「前々回AoD」との文字列が入力されると、入力支援処理ユニット１２は、計測値管理テーブル及びマッピングテーブルに基づいて、入力された「前々回AoD」との文字列を前々回の検査において計測された計測値を用いて「１２（１０−２０：ｍｍ）」と変換する。また、例えば入力ユニット１３から「経過AoD」との文字列が入力されると、入力支援処理ユニット１２は、計測値管理テーブル及びマッピングテーブルに基づいて、所定期間に遡った過去の複数回に亘る「ＡＯＤ」を取得し、例えば図７に示すような同一患者の同一検査における計測項目AoDの経時的変化を示すグラフを生成する。
【００２７】
上述変換により得られた各文字列やグラフ等の支援情報は、表示ユニット１４に所定の形態で表示される。このとき、正常値オーバーと判定された計測値については異なる色彩を割り当て、レポート作成者の注意を積極的に促すようにしてもよい。
【００２８】
[所見等登録：ステップＳ６]
レポート作成者は、表示された支援情報を観察しながら、入力ユニット１３を介して所見を入力する。レポート作成ユニット１１は、所定の登録操作に応答して、入力された所見、入力支援処理によって得られた支援情報をレポート内容として登録する（ステップＳ６）。なお、複数の計測項目や検査に基づく所見を登録する場合には、ステップＳ５、Ｓ６の処理が繰り返されることになる。
【００２９】
（効果）
以上述べた医用レポート作成装置によれば、入力された計測項目に割り当てられた文字列は、当該当該文字列に対応する計測値、単位、正常範囲等に自動的に変換され、所定の形態でレポート作成者に提示される。従って、レポート作成者は、所定の文字列を入力するだけで所望の計測値等を取得することができ、日本語変換と同じ感覚で所見等を記入することができる。特に、例えば「経過AoD」等の計測項目と時間情報とを指定する文字列を入力することで、同一患者の同一検査における計測項目AoDの経時的変化を示すグラフを生成し表示することができる。その結果、レポート作成時における計測値等の写し間違い、ウィンドウの切り替え作業負等を省略することができ、レポート作成時における作業負担を軽減させることができる。
【００３０】
以上いくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれるものである。
【符号の説明】
【００３１】
１…医用レポート作成装置、３…医用画像表示装置、５…医用画像保管装置、７…医用画像診断装置、１０…制御ユニット、１１…レポート作成ユニット、１２…入力支援処理ユニット、１３…入力ユニット、１４…表示ユニット、１５…送受信ユニット、１６…記憶ユニット、Ｎ…医用ネットワークシステム
【図１】
2014136071.tif 000003
【図２】
2014136071.tif 000004
【図３】
2014136071.tif 000005
【図４】
2014136071.tif 000006
【図５】
2014136071.tif 000007
【図６】
2014136071.tif 000008
【図７】
2014136071.tif 000009